(57)【要約】【課題】  ライターの燃料糟に於ける装飾性をガス燃料吸い上げ芯の削除構成により視覚的付加価値の向上を図る。【解決手段】ガス燃料を収容する燃料タンクの内部上方にガス燃料の流量調整制限機構を設け該流量調整制限機構の上流側にはガス燃料が液体状態で接触しても気体状態で接触しても略一定したガス燃料の流量が得られるような構成とし、ガス燃料を液体状態で吸い上げる吸い上げ芯を無くし燃料タンク主要収容部にはガス燃料と装飾体のみを収容することを主な特徴とする。【選択図】        図１
0003102694.tif 000002
【実用新案登録請求の範囲】
【請求項１】
燃焼部に燃料を供給し燃焼部近傍に配した発火手段により燃焼部の燃料を燃焼させ炎を形成するライターの燃料が炭化水素系のガス燃料で該ガス燃料を収容する燃料タンク内にはガス燃料を液体状態で収容し燃料タンクが透明若しくは半透明の合成樹脂成形体からなり前記燃料タンク内部に装飾体を内装したライターにおいて、前記燃料タンク内の上方に設けたガス燃料流量調整部から燃料タンクのガス燃料液相部位にガス燃料吸い上げ芯を垂下構成しないことを特徴とするライター。
【請求項２】
燃料タンク内収容するガス燃料を放出する流量調整機構が微多孔膜の透過量によって制限されガス燃料の流量が決定される構成としたことを特徴とする請求項１記載のライター。
【請求項３】
燃料タンク内収容するガス燃料を放出する流量調整機構が微多孔膜と連続気泡多孔質弾性体の組み合わせによって透過量が制限されガス燃料の流量が決定される構成としたことを特徴とする請求項１記載のライター。
【考案の詳細な説明】
【技術分野】
【０００１】
本考案は炭化水素系のガスを燃料とするライターにおける装飾構成の向上に関する。
【背景技術】
【０００２】
炭化水素系ガス燃料に火花を発生させる着火手段を用いて着火し燃焼させてなりガス燃料を収容する燃料タンクの素材が透明若しくは半透明の合成樹脂素材で成形され燃料タンク内に装飾体を収容してなるライターは実用新案登録第３０９７７５６号に開示されているように燃料タンク内部にはガス燃料放出装置のガス燃料流量調整部から燃料タンクのガス燃料液相部に向けて多孔質部材のガス燃料吸い上げ芯を垂下配置させ吸い上げ芯多孔質部材の毛細管現象によりガス燃料を液体状態で流量調整部まで吸い上げる構成としてある。
【０００３】
前記が吸い上げ芯の構成はガス燃料の流量調整機構がウレタンの発砲材からなる連続気泡多孔材の圧縮密度を変化させることでガス燃料の流量を制御する構成となっており連続気泡多孔材の上流側にガス燃料が液体状態で接触した場合と気体状態接触した場合では連続気泡多孔体の下流側でのガス燃料通過量が大幅に異なりノズル先端からのガス放出燃焼炎の大きさにも重大な変化があったためガス燃料流量調整機構の上流側には常時液体状態の燃料ガスが接触するようにガス燃料吸い上げ芯の構成が必要であった。
【０００４】
しかし、燃料タンク内部に装飾体を収容した加飾性を考慮するとガス燃料吸い上げ芯は装飾体との装飾関連性が無く燃料タンク内の装飾性を低下させる欠点があった。
【０００５】
又、ガス燃料を収容する燃料タンクの背面部に燃料タンク内側方向から目視可能な絵や写真及び文字などの表示を印刷やラベルで行う場合燃料タンク内部に垂下した吸い上げ芯が燃料タンク背面の表示物の視覚的妨げとなり装飾効果が低下する問題があった。
【特許文献１】実用新案登録第３０９７７５６号
【考案の開示】
【考案が解決しようとする課題】
【０００６】
前記従来ライターはガス燃料を収容した燃料タンクの内部にガス燃料流量調整部からガス燃料液相部に吸い上げ芯を垂下させてあるため該吸い上げ芯が燃料タンク内に収容した装飾体との加飾関連性が無く又燃料タンク背面に印刷等加飾表示した表示物の表示妨害となり加飾効果の低下を招いていた。
【課題を解決するための手段】
【０００７】
本考案は、ガス燃料を収容する燃料タンクの内部上方にガス燃料の流量調整制限機構を設け該流量調整制限機構の上流側にはガス燃料が液体状態で接触しても気体状態で接触しても略一定したガス燃料の流量が得られるような構成とし、ガス燃料を液体状態で吸い上げる吸い上げ芯を無くし燃料タンク主要収容部にはガス燃料と装飾体のみを収容することを主な特徴とする。
【考案の効果】
【０００８】
本考案のライターは、ガス燃料を収容する燃料タンク内部にはガス燃料と装飾体のみが収容されるため装飾体の装飾効果を妨げるものが無く最大限の装飾効果が得られる。
【０００９】
又、ガス燃料を収容する燃料タンクの背面部に燃料タンク内側方向から目視可能な絵や写真及び文字などの表示を印刷やラベルで行う場合も燃料タンク内側に背面部表示物の視覚的障害となるものがないため内部に収容した装飾体と一体関連し大きな装飾表現が可能となる。
【００１０】
さらに、本考案ライターの燃焼炎の大きさはガス燃料の流量が制限される構成であるため着火燃焼時火傷に繋がる危険となるような過大炎の形成を抑制することが出来安全で且つ装飾性の高いライターを提供することが出来る。
【考案を実施するための最良の形態】
【００１１】
燃料タンク上方に設けたガス燃料流量調整機構のフィルター構成を微多孔膜の単独採用若しくは微多孔膜と連続気泡の多孔質弾性体との複合採用によってガス燃料の液体状態吸い上げ芯が無くても安定したガス燃料の流量制御が出来る構成とし燃料タンク内にはガス燃料と装飾体のみの収容を実現した。
【実施例１】
【００１２】
次に本考案の実施例を図面を参照しながら説明する。第１図は本考案に係る第１の実施例を示し、第２図は第１の実施例の分解斜視図を示す。第３図は本考案に係る第２の実施例を示し、第４図は第２の実施例の分解斜視図を示す。第５図と第６図は本考案に係るガス燃料の流量調整機構部を示す断面図である。
【００１３】
第１の実施例では透明性合成樹脂で成形された燃料タンク１の上方開口部から装飾体２を燃料タンク１内に入れた後燃料タンク１の上方開口部から気化抑制のため冷却された炭化水素系の液化石油ガスのガス燃料３を燃料タンク１内に充填し燃料タンク１上方の開口部は燃料の流量調整機構とバルブ機構４を備えた上蓋５を被せ燃料タンク１と上蓋５を超音波溶着によって封止接合し上蓋５によってガス燃料３と装飾体２が封止された燃料タンク１に風防６と発火石ヤスリからなる発火部７及びバルブ４の弁解放操作用レバー８を組み込んだ中間ケース９を取り付けライターの着火及び燃焼等の機能を確認した後燃料タンク１の外側一方の側面に燃料タンク１の内側から目視出来る背景印刷１０を熱転写印刷し燃料タンク１外側他の一方の側面には印刷部のみが燃料タンク１の外側から視認でき前記印刷部位以外は透明となる表面印刷１１を熱転写印刷する。
【００１４】
第２の実施例は、透明性合成樹脂で成形された燃料タンク１上方の一方にはガス燃料流量調整機構とバルブ４を組み込み炎形成部には風防６が取り付けられ、燃料タンク１上方の他の一方には高電圧の火花放電を発生さる高電圧発火装置１２と着火操作釦１３が組み込まれている。燃料タンク１は下方に開口部が形成されこの開口部から燃料タンク１内に装飾体２を入れた後気化抑制のため冷却された炭化水素系の液化石油ガスのガス燃料３を充填し燃料タンク１下方開口部に底蓋１４を被せ燃料タンク１と底蓋１４を超音波溶着によって封止接合し気密構造の燃料糟を形成させライターの着火燃焼等の機能した後燃料タンク１の外側一方の側面に燃料タンク１の内側から目視出来る背景印刷１０を熱転写印刷し燃料タンク１外側他の一方の側面には印刷部のみが燃料タンク１の外側から視認可能で前記印刷部位以外は透明となる表面印刷１１を熱転写印刷する。
【００１５】
前記第１の実施例及び第２の実施例におけるガス燃料の流量調整機構は第５図に示すように、燃料タンク１の上方の開口部にノズルケース４ａを螺着しＯリング４ｂのシール部材によってノズルケース４ａと燃料タンク１を気密封止し、該ノズルケース４ａの上方貫通穴には戻しバネ４ｃと弁ゴム４ｄを組み込んだノズル４ｅを遊動可能に挿入しノズルケース４ａ下方の貫通穴にはノズル支持部材４ｆを圧入する。ノズル支持部材４ｆには上下に貫通する通気孔を設け通気孔の下流側開口部はノズル４ｅに組み込んだ戻しバネ４ｃによって弁ゴム４ｄが圧接し通気孔を閉塞し通気孔上流側の開口部はガス燃料３の流量制限を行う微多孔膜フィルター４ｇ面が当接するよう構成し微多孔膜フィルター４ｇのガス燃料通過量によってノズル４ｅ先端から噴出し着火燃焼する燃焼炎の大きさが決定される。
【００１６】
又、第６図に示すガス燃料の流量調整機構は燃料タンク１の上方の開口部にノズルケース４ａを螺合し、該ノズルケース４ａの上方貫通穴には戻しバネ４ｃと弁ゴム４ｄを組み込んだノズル４ｅを遊動可能に挿入しノズルケース４ａ下方の貫通穴には燃料タンク１上方開口部の穴を気密にシールするようにＯリング４ｂを取り付けたノズル支持部材４ｆを圧入したバルブ部４を構成する。ノズル支持部材４ｆの下方には上下に貫通する通気孔を設け通気孔の下流側開口部はノズル４ｅに組み込んだ戻しバネ４ｃによって弁ゴム４ｄが圧接し通気孔を閉塞し通気孔上流側の開口部は連続気泡の多孔質弾性体フィルター４ｈを配置し、該多孔質弾性体フィルター４ｈの上流側の面にはガス燃料３の通過流量制限を行う微多孔膜フィルター４ｇが組み込まれたフィルターユニット４ｉが燃料タンク１の開口部に固着圧入するよう組み込まれ構成する。燃料タンク１開口部に螺合したノズルケース４ａの回動によってバルブ部５はノズル４ｅ軸線方向に上下しノズル支持部材４ｆの下側に配置された連続気泡の多孔質弾性体フィルター４ｈはその圧縮率が変化し微多孔膜フィルター４ｇによって制限されたガス燃料の通過量を最大として調整可能となりノズル４ｅ先端から噴出し形成される燃焼炎の大きさを変化させる。  
【００１７】
実施例に於けるガス燃料３の通過制限を行う微多孔膜フィルター４ｇは微小孔を有する一軸展伸のポリプロピレンフィルムが適しており又、臨海表面張力の小さいもので炭化水素系ガス燃料特にブタンガスとプロパンガスの液体状態を通過させないものを使用し、ガス燃料３の通過最大量はガス燃料通過面の面積で決定されるよう構成する。
【００１８】
実施例に於ける燃料タンク１はＡＳ樹脂やポリカーボネート樹脂などの透明性を有する合成樹脂で成形することが望ましく、この場合染料などの着色剤を合成樹脂に混合し着色された透明性の成形体とすることも有り、又若干の顔料を混合し半透明な成形体とすることも出来る。
【産業上の利用可能性】
【００１９】
叙上のように本考案は装飾性の富んだ加飾効果が大幅に改善向上されることから外観表示及び装飾性の要求が高い付加価値商品や広告効果を要求される商品への利用拡大提供を行うことが出来る。
【００２０】
又、実施例に示したポケットライターへの適用のみならずコンロやストーブ、ローソクなどに点火する着火器への利用点火器具も出来る。
【図面の簡単な説明】
【００２１】
【図１】本考案に係る第１の実施例を示す。
【図２】同実施例に係る分解斜視図。
【図３】本考案に係る第２実施例を示す。
【図４】同実施例に於ける分解斜視図。
【図５】本考案に係るガス燃料流量調整機構の断面図。
【図６】本考案に係るガス燃料流量調整機構の断面図。
【符号の説明】
【００２２】
１    燃料タンク
２    装飾体
３    燃料ガス
４    バルブ
４ａ  ノズルケース
４ｂ  Ｏリング
４ｃ  戻しバネ
４ｄ  弁ゴム
４ｅ  ノズル
４ｆ  ノズル支持部材
４ｇ  微多孔膜フィルター
４ｈ  多孔性弾性体フィルター
４ｉ  フィルターユニット
５    上蓋
６    風防
７    発火部
８    レバー
９    中間ケース
１０    背景印刷
１１    表面印刷
１２    高電圧発生装置
１３    操作釦
１４    底蓋
【図１】
0003102694.tif 000003
【図２】
0003102694.tif 000004
【図３】
0003102694.tif 000005
【図４】
0003102694.tif 000006
【図５】
0003102694.tif 000007
【図６】
0003102694.tif 000008